(57)【要約】【課題】扉自体の強度及び扉の支持強度に優れ、しかも施工時間を大幅に低減することのできる引戸装置及びその組立方法を提供すること。【解決手段】前扉４を後扉５内に収納可能に構成した収納型引戸装置１において、後扉５の上骨５ａには、上面に前扉４の後戸車用ブラケット７ｂが移動でき、後戸車用ブラケット７ｂと前扉４の戸尻側上部とを連結する固着手段Ｂの操作用工具を挿入することができる開口部Ｎを設ける。【選択図】図１
2008202363.tif 000002
【特許請求の範囲】
【請求項１】
前扉を後扉内に収納可能に構成した収納型引戸装置において、後扉の上骨には、上面に前扉の後戸車用ブラケットが移動でき、前記後戸車用ブラケットと前扉の戸尻側上部とを連結する固着手段の操作用工具を挿入することができる開口部を設けたことを特徴とする引戸装置。
【請求項２】
前扉を後扉内に収納可能に構成した収納型引戸装置の組立方法であって、前扉の後戸車用ブラケットを後扉の上骨上面に設けた開口部に挿通するとともに、前扉を後扉内に進入させ、前記後戸車用ブラケットの下端部と、前扉の戸尻側上部とを、後扉内で前記開口部において合致させ、前記開口部を通して固着手段を挿入し、前扉の後戸車用ブラケットと前扉の戸尻側上部とを固定することを特徴とする引戸装置の組立方法。
【発明の詳細な説明】
【技術分野】
【０００１】
本発明は、引戸装置及びその組立方法に関し、特に、一方の扉を他方の扉に収納可能に構成した収納型の引戸装置及びその組立方法に関するものである。
【背景技術】
【０００２】
従来、収納型の引戸装置としては、戸袋の幅を縮小し、引戸装置全体の小型化を計ることを目的として、図４に示すように、引戸を前後に区分し、前扉は後方の扉内に収納可能とした収納型の引戸装置７０がある（例えば、特許文献１参照）。
【０００３】
この引戸装置７０は、間隔をあけて平行に配置された板材７４、７４の上面及び下面の向かい合う各コーナー部分で連結板７５、７５により連結し、内部に第２扉７２の収納空間を形成した第１扉７１と、第１扉７１と同様に平行に配置された板材７６、７６を連結板７７、７７によって連結した第２扉７２とからなる。なお、第２扉７２は一枚物の板材から構成してもよい。
７３は、連結板７５、７５、７７、７７に取り付けたローラ等の走行体を示し、レール７８内を走行するように構成する。
【０００４】
しかし、上記構成による引戸装置７０は、連結板７５、７７により、板材の上面及び下面のコーナー部分しか連結されていないため、板材の上面、下面、側面においてコーナー部分以外は開放されており、板材同士の間は空洞のため、板面に対する横からの衝撃に対し非常に弱いために、外力により板面が容易に反って変形しやすく、引戸装置７０が木製の場合は、第１扉７１の板面すなわち板材７４が内側に反って変形すると、内部に収納された第２扉７２の板面に接触し、また、第２扉７２の板面すなわち板材７６が外側に反って変形すると、第１扉７１の板材７４に接触することにより、引戸のスムーズな開閉に支障をきたすという問題があった。
【０００５】
このため、図５に示すように本出願人が先に提案した引戸装置５０がある。
この引戸装置５０は、前扉を後扉内に収納可能に構成した収納型引戸装置であって、後扉の上面に前扉の受け入れ用切り欠き部を、前扉には戸尻側上部に天板と平行に切り欠いた進入用切り欠き部を設け、相互に干渉しない位置に戸車を配設するようにしている。
【０００６】
ところで、この引戸装置５０は、後扉５２の一側面を開放し、上面には前扉の受け入れ用切り欠き部ｍを設け、前扉５１には、戸尻側上部に天板と平行に切り欠いた進入用切り欠き部ｎを設けるとともに、戸車５３、５３を配設するようにしている。
そして、この引戸装置５０の組立方法は、図５に示すように、後扉５２に、後方の戸車５４ｂを取り付けた状態で、前扉５１を後扉５２の開放された側面から進入せしめ、前扉５１の戸尻側の天板が、後扉の上面に設けた前扉の受け入れ用切り欠き部ｍを越え、前扉５１の戸尻側に形成した進入用切り欠き部ｎによって、後扉５２の天板に覆いかぶさるように進入させ、図５（ｂ）に示す形状に組み合わせる。
次に、図５（ｃ）に示すように後扉５２の前方の戸車５４ａを備えるコ字状のフランジｆを前扉５１をまたぐようにして後扉５２の前方にネジ・ボルト等の適宜手段で取り付ける（例えば、特許文献２参照）。
【０００７】
しかし、上記構成による引戸装置５０は、前扉には戸尻側上部に天板と平行に切り欠いた進入用切り欠き部ｎを設けていることから前扉後方の戸車の支持強度が十分でないため、前扉の後方が自重により下側に撓むことがあり、前扉の後方が撓んだ場合には、前扉の戸先側より戸尻側が下方に位置し、引戸を開閉する際、前扉の戸尻側下面が床に擦れることにより、引戸のスムーズな開閉に支障をきたすという問題があった。
【特許文献１】特開２００２−１９４９５６号公報
【特許文献２】特開２００４−２７０３７０号公報
【発明の開示】
【発明が解決しようとする課題】
【０００８】
本発明は、上記従来の引戸装置の組立方法の有する問題点に鑑み、扉自体の強度及び扉の支持強度に優れ、しかも施工時間を大幅に低減することのできる引戸装置及びその組立方法を提供することを目的とする。
【課題を解決するための手段】
【０００９】
上記目的を達成するため、本発明の引戸装置は、前扉を後扉内に収納可能に構成した収納型引戸装置において、後扉の上骨には、上面に前扉の後戸車用ブラケットが移動でき、前記後戸車用ブラケットと前扉の戸尻側上部とを連結する固着手段の操作用工具を挿入することができる開口部を設けたことを特徴とする。
【００１０】
また、上記引戸装置を使った本発明の引戸装置の組立方法は、前扉を後扉内に収納可能に構成した収納型引戸装置の組立方法であって、前扉の後戸車用ブラケットを後扉の上骨上面に設けた開口部に挿通するとともに、前扉を後扉内に進入させ、前記後戸車用ブラケットの下端部と、前扉の戸尻側上部とを、後扉内で前記開口部において合致させ、前記開口部を通して固着手段を挿入し、前扉の後戸車用ブラケットと前扉の戸尻側上部とを固定することを特徴とする。
【発明の効果】
【００１１】
本発明の引戸装置及びその引戸装置の組立方法によれば、後扉の上骨には、上面に前扉の後戸車用ブラケットが移動でき、前記後戸車用ブラケットと前扉の戸尻側上部とを連結する固着手段の操作用工具を挿入することができる開口部を設けたから、前扉の後戸車用ブラケットの下端部と前扉の戸尻側の接合用孔とを後扉の上骨内で合致させた後、前記上骨の上面に開口した開口部より操作用工具を挿入し固着手段にて取り付けて連結することができ、また、前扉も後扉も上面に上骨を設けており、後扉の前方、後方の戸車を上骨に取り付けてあることから、扉自体の強度及び支持強度に優れた引戸装置及びその組立方法を提供することができる。
【発明を実施するための最良の形態】
【００１２】
以下、本発明の引戸装置の組立方法の実施の形態を、図面に基づいて説明する。
【実施例１】
【００１３】
図１〜図３に、本発明の引戸装置の一実施例を示す。図において、ａは、点検窓ラインを、ｂは、方立ラインを示す。
この引戸装置１は、引戸枠部材２と、この引戸枠部材２の一側に形成された戸袋３と、この戸袋３に収納される後扉５と、その後扉５内に収納される前扉４と、前扉４と後扉５に配設する前後の戸車を載置する走行用レール６とにより構成される。
そして、後扉５は両側面の扉板５ｂ、５ｃの上部に略下向きコ字状の上骨５ａが接合されて構成されており、上骨５ａには、上面に前扉４の後戸車用ブラケット７ｂが移動できる開口部Ｎを設けるようにしている。
【００１４】
開口部Ｎの幅は、後戸車用ブラケット７ｂの下端部を挿入して上骨５ａの長手方向に対して移動でき、前扉の戸尻側上部に設けた接合用孔Ｈに、前扉４の後戸車用ブラケット７ｂをボルトなどの固着手段（六角穴付きボルト等が好ましい）Ｂによって固着する際、固着手段を取り付ける工具を挿入することができる程度の寸法とし、その幅は後戸車用ブラケットの下端部の幅、もしくはその幅よりも小さい方が扉の支持強度があり好ましい。
また、その長さは前扉が後扉へ収納される長さ及び前後の扉幅より適宜決定される。
後扉５の上骨５ａ上面には、走行用レール６に載置する前後の戸車を回動自在に配設するブラケット８ａ、８ｂを前後に取り付けるようにしている。
【００１５】
前扉４の上部には、下向きコ字状の上骨４ａが両側面の扉板４ｂ、４ｃの天面にかぶさるように接合されて構成されており、その上骨４ａの戸先側に走行用レール６に載置する前戸車を回動自在に配設するブラケット７ａと、上骨４ａの戸尻側に後戸車用ブラケット７ｂを固定するための接合用孔Ｈを形成するようにしている。
前扉４の後戸車用ブラケット７ｂを接合する手段は、前扉４の天面が厚い場合は上骨上面に直接雌ネジを切り、ボルトなどの固着手段で固着しても構わないが、板厚が薄い場合は、図２に示すように、前扉４の上骨４ａの下面にナット等のネジ穴を有する部材を溶接等の固着手段で取り付けるようにし、上骨４ａの上面からボルトなどの固着手段により固着しても構わない。
【００１６】
この引戸装置１は、連動装置１０を用いて前扉４と後扉５を連動することができる。
この場合、前扉４と後扉５との連動装置１０は、後扉５の前戸車用ブラケット８ａと後戸車用ブラケット８ｂに回動自在に取り付けた連動プーリ１１ａ、１１ｂに連動条体１２を係回し、連動条体１２の適宜箇所を、固定金具１３で引戸枠部材２に固定する。
そして、前扉４の後戸車用ブラケット７ｂの適所に、接合金具１４によって連動条体１２を固定する。これによって、後扉５は、前扉４の移動距離Ｌに対して半分のＬ／２の距離だけ移動するようになる。
【００１７】
しかして、本発明の引戸装置１に連動装置１０を取り付けた場合の組立方法は、図２及び図３に示すように、前扉４の後戸車用ブラケット７ｂを後扉５の上骨５ａに設けた開口部Ｎに挿入させ、後扉５の前後の戸車と、前扉４の後戸車用ブラケット７ｂを有する後戸車とを走行用レール６に載置し、後扉５の前戸車用ブラケット８ａと後戸車用ブラケット８ｂとに配設した連動プーリ１１ａ、１１ｂ間に連動条体１２を掛けまわす。
【００１８】
そして、引戸枠部材２と連動条体１２を固定金具１３で固定し、前扉４の後戸車用ブラケット７ｂと連動条体１２を接合金具１４で接合した後、前扉４を後扉５内に進入させ、後扉５の開口部Ｎに挿入された前扉４の後戸車用ブラケット７ｂの下端部と前扉４の戸尻側上面に形成した接合用孔Ｈとが合致するところで停止させる。
しかる後、後扉５の開口部Ｎより固着手段Ｂ及びその操作工具を挿入して前扉の後戸車用ブラケット７ｂと前扉４の戸尻側に形成した接合用孔Ｈとを固着手段Ｂによって固着するようにする。
【００１９】
なお、前扉の戸尻側上面に形成した接合用孔Ｈを前扉４の後戸車用ブラケット７ｂに合致させるための前扉４の傾動操作としては、扉面に吸盤工具を装着し、この吸盤工具を介して戸尻側を引き上げるようにすればよく、これにより前戸車だけで吊られている状態の前扉４を容易に傾動できる。
【００２０】
また、上記の説明では、後扉５の開口部Ｎを通して挿入された後戸車用ブラケット７ｂと、後扉５内に進入させた前扉４の接合用孔Ｈとを後扉５の上骨５ａ内で合致させる手順として、先に後扉５に装着された両連動プーリ１１ａ、１１ｂに連動条体１２を係回して、連動条体１２に後戸車用ブラケット７ｂを保持（接合金具１４で接合）させておくようにしたが、別の方法として先に後扉５に前扉４を進入させ待機させておくようにしてもよい。
また、後扉５の上骨５ａに形成される開口部Ｎは図３（ｅ）に示すように大穴と小長穴を略Ｌ字状に結合した開口部Ｎ１としてもよい。
【００２１】
以上、本発明の引戸装置及びその組立方法について、実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の引戸装置及びその組立方法は、後扉の上骨に前後の戸車を設けているので、扉自体の支持強度もあり後扉内において、前扉の戸尻側に形成した接合用孔と後戸車用ブラケットとを簡単に連結することができるという特性を有していることから、新規設備の引戸装置に用いることができるほか、例えば、既設建造物の改造工事においても、前後の扉を交換することによって適用することができる。
【図面の簡単な説明】
【００２３】
【図１】本発明の引戸装置の一実施例を示す一部切り欠きの正面図である。
【図２】図１のＸ−Ｘの一部切り欠きの断面図である。
【図３】本発明の引戸装置の組立方法を示す一部切り欠きの断面図で、（ａ）は後扉を引戸枠部材に組み込んだところを、（ｂ）は前扉の状態を、（ｃ）は（ａ）のＹ−Ｙ断面図を、（ｄ）は前扉と後扉を接合したところを示す図であり、（ｅ）は開口部の変形例を示す図である。
【図４】従来の引戸装置を示す一部断面の斜視図である。
【図５】従来の引戸装置の組立方法を示す斜視図である。
【符号の説明】
【００２４】
１    引戸装置
２    引戸枠部材
３    戸袋
４    前扉
５    後扉
５ａ  上骨
６    走行用レール
７    戸車用ブラケット
８    戸車用ブラケット
Ｂ    固着手段
Ｈ    接合用孔
Ｎ    開口部
Ｎ１  開口部
【図１】
2008202363.tif 000003
【図２】
2008202363.tif 000004
【図３】
2008202363.tif 000005
【図４】
2008202363.tif 000006
【図５】
2008202363.tif 000007